(57)【要約】【課題】投与ポート部に配置されたシール部材に貫通部材を貫通させた状態において、シール部材のシール性が低下することを抑制できる薬液投与装置を提供する。【解決手段】薬液投与装置１０は、薬液を貯蔵可能な薬液貯蔵部２２１及び薬液貯蔵部が配置される筐体２１０を備える第１ハウジング２００と、薬液を生体内へ送液するための第１流路４４０ａが形成された送液部４４０及びシール部材４６０が配置された投与ポート部４００を備え、第１ハウジングと接続分離可能に構成された第２ハウジング３００と、を有しており、第１ハウジングは、第１ハウジングと第２ハウジングとの接続に伴ってシール部材を貫通することにより薬液貯蔵部と送液部の第１流路とを連通させる貫通部材２２５を備えており、シール部材は、貫通部材がシール部材を貫通する方向と反対側に向けて突出した第１凸部４６１を有している。【選択図】図４
2020074915.tif 000002
【特許請求の範囲】
【請求項１】
薬液を貯蔵可能な薬液貯蔵部及び前記薬液貯蔵部が配置される筐体を備える第１ハウジングと、
前記薬液を生体内へ送液するための流路が形成された送液部及びシール部材が配置された投与ポート部を備え、前記第１ハウジングと接続分離可能に構成された第２ハウジングと、を有し、
前記第１ハウジングは、前記第１ハウジングと前記第２ハウジングとの接続に伴って前記シール部材を貫通することにより前記薬液貯蔵部と前記送液部の前記流路とを連通させる貫通部材を備え、
前記シール部材に形成され、前記貫通部材が前記シール部材を貫通する方向と反対側に向けて突出した第１凸部、及び、前記筐体に形成され、前記貫通部材が前記シール部材を貫通する方向に向けて突出した第２凸部の少なくとも一方を有する、薬液投与装置。
【請求項２】
前記第１凸部及び前記第２凸部は、前記第１ハウジングと前記第２ハウジングとを接続した状態において、前記筐体と前記シール部材との間に前記貫通部材の周囲を囲む空間部を形成する、請求項１に記載の薬液投与装置。
【請求項３】
前記第１凸部を有し、
前記第１凸部は、前記貫通部材が前記シール部材を貫通する際、前記筐体に接触することにより、前記貫通部材が前記シール部材に対して略垂直に貫通するように前記貫通部材の移動をガイドする、請求項１又は請求項２に記載の薬液投与装置。
【請求項４】
前記第２凸部を有し、
前記筐体は、前記第１ハウジングと前記第２ハウジングとを接続した状態において、前記シール部材を収容する凹状のキャビティを有し、
前記第２凸部は、前記キャビティに前記シール部材が収容された状態において、前記シール部材と当接する、請求項１〜３のいずれか１項に記載の薬液投与装置。
【請求項５】
前記シール部材は、前記貫通部材が貫通されるとともに前記シール部材の他の部位よりも肉厚に形成された被貫通部を有し、
前記第２凸部は、前記シール部材の前記被貫通部を押圧可能な位置に配置されている、請求項４に記載の薬液投与装置。
【請求項６】
前記第１凸部及び前記第２凸部を有する、請求項１〜５のいずれか１項に記載の薬液投与装置。
【請求項７】
前記第１凸部は、前記第１ハウジングと前記第２ハウジングとを接続した状態において、前記第２凸部の外周面を囲む位置に配置されている、請求項６に記載の薬液投与装置。
【発明の詳細な説明】
【技術分野】
【０００１】
本発明は、薬液投与装置に関する。
【背景技術】
【０００２】
従来から、インスリンなどの薬液を投与する装置として、投与対象となる患者や被検者の皮膚に取り付けられた状態で連続的または間欠的に薬液を投与する携帯型の薬液投与装置が知られている（例えば、特許文献１を参照）。
【０００３】
薬液投与装置には、薬液を貯蔵する薬液貯蔵部及び薬液貯蔵部から薬液を送出するプランジャ等の送液機構を備える第１ハウジングと、薬液を使用者の生体内へ送液する送液部（カニューレ）及び所定のシール部材が配置された投与ポート部を備え、第１ハウジングと接続分離可能に構成された第２ハウジングと、を有するものがある。
【０００４】
使用者は、上記の薬液投与装置を使用した薬液の投与を開始する際、第１ハウジング及び第２ハウジングを接続するとともに、薬液貯蔵部と送液部の流路を連通させる。薬液貯蔵部と送液部の流路は、投与ポート部に配置されたシール部材を貫通可能に構成された貫通部材（例えば、針管）を介して連通される。
【先行技術文献】
【特許文献】
【０００５】
【特許文献１】特表２０１０−５３１１９７号
【発明の概要】
【発明が解決しようとする課題】
【０００６】
使用者がシール部材に貫通部材を貫通させる際、貫通部材がシール部材に対して斜めに貫通すると、シール部材が不用意な形状に変形し、シール部材と貫通部材との間に隙間が形成される。このような隙間が形成されると、シール部材のシール性が低下し、薬液が漏れ出てしまう可能性がある。
【０００７】
本発明は、上記課題に鑑みてなされたものであり、投与ポート部に配置されたシール部材に貫通部材を貫通させた状態において、シール部材のシール性が低下することを抑制できる薬液投与装置を提供することを目的とする。
【０００８】
本発明に係る薬液投与装置は、薬液を貯蔵可能な薬液貯蔵部及び前記薬液貯蔵部が配置される筐体を備える第１ハウジングと、前記薬液を生体内へ送液するための流路が形成された送液部及びシール部材が配置された投与ポート部を備え、前記第１ハウジングと接続分離可能に構成された第２ハウジングと、を有し、前記第１ハウジングは、前記第１ハウジングと前記第２ハウジングとの接続に伴って前記シール部材を貫通することにより前記薬液貯蔵部と前記送液部の前記流路とを連通させる貫通部材を備え、前記シール部材に形成され、前記貫通部材が前記シール部材を貫通する方向と反対側に向けて突出した第１凸部、及び、前記筐体に形成され、前記貫通部材が前記シール部材を貫通する方向に向けて突出した第２凸部の少なくとも一方を有する。
【発明の効果】
【０００９】
本発明に係る薬液投与装置によれば、貫通部材をシール部材に貫通させる際、シール部材に形成された第１凸部及び筐体に形成された第２凸部の少なくとも一方により、貫通部材がシール部材を貫通する貫通方向を適切な方向にガイドすることができる。したがって、薬液投与装置は、薬液貯蔵部と送液部の流路とを連通した状態において、第２ハウジングの投与ポート部に配置されたシール部材のシール性が低下することを抑制できる。
【図面の簡単な説明】
【００１０】
【図１】第１実施形態に係る薬液投与装置の分解斜視図である。
【図２】第１ハウジングの筐体に形成されたキャビティ及び第２ハウジングに配置された投与ポート部の位置関係を示す斜視図である。
【図３】投与ポート部の分解斜視図である。
【図４】第１実施形態に係る薬液投与装置において、貫通部材をシール部材に貫通させる前の状態及び貫通部材をシール部材に貫通させた後の状態を示す断面図である。
【図５】第２実施形態に係る薬液投与装置において、貫通部材をシール部材に貫通させる前の状態及び貫通部材をシール部材に貫通させた後の状態を示す断面図である。
【図６】第３実施形態に係る薬液投与装置において、貫通部材をシール部材に貫通させる前の状態及び貫通部材をシール部材に貫通させた後の状態を示す断面図である。
【００１１】
以下、添付した図面を参照しながら、本発明に係る実施形態を説明する。図面における各部材の大きさや比率は、説明の都合上誇張されており、実際の大きさや比率とは異なる場合がある。
【００１２】
（第１実施形態）
図１〜図４を参照して、第１実施形態に係る薬液投与装置１０を説明する。図１は、薬液投与装置１０の分解斜視図、図２は、第１ハウジング２００の筐体２１０に形成されたキャビティ２１３と第２ハウジング３００に配置された投与ポート部４００の位置関係を示す図、図３は、投与ポート部４００の分解斜視図、図４（Ａ）及び図４（Ｂ）は、シール部材４６０に貫通部材２２５を貫通させる前後の様子を示す拡大断面図である。
【００１３】
薬液投与装置１０は、使用者である糖尿病患者の生体内に薬液としてインスリンを送液する携帯型のインスリン投与装置として構成している。なお、薬液はインスリンに限定されることはなく、他の薬液であってもよい。
【００１４】
薬液投与装置１０は、図１、図２、図４（Ａ）、図４（Ｂ）を参照して概説すると、薬液を貯蔵可能な薬液貯蔵部２２１及び薬液貯蔵部２２１が配置される筐体２１０を備える第１ハウジング２００と、薬液を生体内へ送液するための第１流路（「流路」に相当する）４４０ａが形成された送液部４４０及び所定のシール部材４６０が配置された投与ポート部４００を備え、第１ハウジング２００と接続分離可能に構成された第２ハウジング３００と、駆動機構１２０が配置されたポンプ本体１００と、を有している。
【００１５】
＜第１ハウジング＞
第１ハウジング２００は、図１に示すように、筐体２１０に配置される送液機構２２０を有している。送液機構２２０は、薬液貯蔵部２２１と、薬液貯蔵部２２１から薬液を送液する押し子２２２と、押し子２２２を移動させる駆動力を生じさせる歯車２２３と、を有している。
【００１６】
薬液貯蔵部２２１は、薬液が貯蔵された内部空間を備える貯蔵部本体２２１ａと、貯蔵部本体２２１ａの内部空間と連通する第１ポート部２２１ｂ及び第２ポート部２２１ｃと、を有している。
【００１７】
第１ポート部２２１ｂは、貯蔵部本体２２１ａの内部空間に薬液を充填する充填器具（図示省略）と接続可能に構成している。使用者は、薬液投与装置１０の使用に際し、充填器具を使用して貯蔵部本体２２１ａの内部空間に薬液を充填する。第２ポート部２２１ｃは、所定の送液管（図示省略）を介して貫通部材２２５の第２流路２２５ａと連通している（図４（Ａ）を参照）。
【００１８】
歯車２２３は、図１に示すポンプ本体１００が備える歯車群１２３と噛み合い自在に構成している。歯車２２３は、歯車群１２３が回転して回転力が伝達されると、歯車２２３に接続された押し子２２２を前進させる。押し子２２２は、貯蔵部本体２２１ａの内部空間を前進することにより、第２ポート部２２１ｃ及び送液管を介して貫通部材２２５へ薬液を送液する。薬液投与装置１０は、貫通部材２２５の第２流路２２５ａと送液部４４０の第１流路４４０ａが連通した状態で押し子２２２が前進すると、送液部４４０の第１流路４４０ａを介して患者の生体内へ薬液を送液する。
【００１９】
筐体２１０には、図１、図２に示すように、送液機構２２０が配置される。筐体２１０は、第１ハウジング２００を第２ハウジング３００と接続した際、第２ハウジング３００が備える投与ポート部４００を収納可能な凹状のキャビティ２１３を有している。
【００２０】
キャビティ２１３は、図２に示すように、筐体２１０の長手方向の一端部に形成されている。キャビティ２１３は、筐体２１０の底面（第２ハウジング３００が配置される側の面）の一部を切り欠くことで形成している。筐体２１０においてキャビティ２１３に臨む面２１３ａには、円筒状の囲い部２１４が形成されている。
【００２１】
第１ハウジング２００は、第１ハウジング２００と第２ハウジング３００との接続に伴ってシール部材４６０を貫通することにより（図４（Ａ）及び図４（Ｂ）を参照）、薬液貯蔵部２２１と送液部４４０の第１流路４４０ａとを連通させる貫通部材２２５を備えている。
【００２２】
図２に示すように、貫通部材２２５の先端部２２６は、囲い部２１４内に収められている。貫通部材２２５は、第２流路（内腔）２２５ａが形成された略直線状に延びる針管で構成している。貫通部材２２５の先端部２２６は、投与ポート部４００のシール部材４６０を穿刺可能な鋭利な形状を有している。貫通部材２２５の基端部（図示省略）は、送液管を介して薬液貯蔵部２２１の第２ポート部２２１ｃと連結されている。
【００２３】
第１ハウジング２００の筐体２１０は、例えば、ポリプロピレン、ポリエチレンテレフタレート、ポリメチルメタクリレート、ポリカーボネートや紫外線硬化樹脂等の樹脂材料、ガラス、セラミックスなどで形成することができる。
【００２４】
貫通部材２２５は、金属製の針管で構成することができ、例えば、ステンレス剛、アルミニウム、アルミニウム合金、チタン、チタン合金などを使用することができる。
【００２５】
＜第２ハウジング＞
図１に示すように、第２ハウジング３００は、ケース３１０と、ケース３１０に配置された投与ポート部４００と、を有している。
【００２６】
ケース３１０の上面（第１ハウジング２００が配置される側の面）には、投与ポート部４００を固定する固定部３１１が設けられている。投与ポート部４００は、固定部３１１に対して嵌合等により固定することができる。
【００２７】
ケース３１０の底面（患者の体表面に向かい合わせて配置される面）には、薬液投与装置１０を患者に固定するための接着部（図示省略）を設けることができる。接着部には、使用前に接着部を覆う剥離紙等を設けることができる。
【００２８】
投与ポート部４００は、図３に示すように、シールキャップ４１０と、ゴム栓４２０と、固定ピン４３０と、送液部４４０と、ハウジング４５０と、シール部材４６０と、を有している。
【００２９】
シールキャップ４１０は、ハウジング４５０の上部ポート４５１を覆うことにより、上部ポート４５１を保護する。ゴム栓４２０は、ゴム栓４２０を貫通させた導入針（図示省略）を抜去した後、ハウジング４５０の上部ポート４５１をシールする。
【００３０】
導入針は、送液部４４０を生体内に導入する際に使用される。導入針は、シールキャップ４１０とゴム栓４２０を貫通し、かつ、送液部４４０の第１流路４４０ａを挿通するように配置される。使用者は、送液部４４０の第１流路４４０ａに導入針を挿通した状態で、導入針とともに送液部４４０を生体内に刺入する。使用者は、導入針とともに送液部４４０を患者の生体内に刺入した後、送液部４４０の第１流路４４０ａから導入針を抜去し、送液部４４０のみを生体内に留置する。使用者は、生体内に留置した送液部４４０の第１流路４４０ａを介して生体内へ薬液を投与する。導入針は、例えば、所定の穿刺装置（図示省略）に備えられ、穿刺装置の駆動により送液部４４０が配置された後は穿刺装置と共に廃棄される。
【００３１】
固定ピン４３０は、送液部４４０をハウジング４５０に対して固定する。固定ピン４３０は、固定ピン４３０の下端部（図３の下側の端部）を送液部４４０の第１流路４４０ａに挿入した状態で、固定ピン４３０の上端部（図３の上側の端部）をハウジング４５０に対してかしめることにより、送液部４４０をハウジング４５０に対して固定する。
【００３２】
ハウジング４５０は、図３に示すように、送液部４４０が挿通される上部ポート４５１と、シール部材４６０が配置される薬液ポート４５２と、を有している。シール部材４６０は、薬液ポート４５２に外嵌されている。
【００３３】
薬液ポート４５２は、図４（Ａ）に示すように、薬液が流通可能な流路４５２ａと、シール部材４６０の一部が内挿される先端部４５２ｂと、シール部材４６０の基端部４６５が嵌合される凹部４５２ｃと、を有している。
【００３４】
シール部材４６０は、貫通部材２２５がシール部材４６０を貫通する方向と反対側（図４（Ａ）の矢印Ｆ１で示す方向）に向けて突出した第１凸部４６１と、第１凸部４６１の内側に形成された凹部４６２と、貫通部材２２５が貫通されるとともにシール部材４６０の他の部位よりも肉厚に形成された被貫通部４６３と、薬液ポート４５２の外周を覆うストレート部４６４と、薬液ポート４５２の凹部４５２ｃに嵌合した基端部４６５と、を有している。
【００３５】
シール部材４６０の第１凸部４６１の平面形状は、シール部材４６０の略中心に位置する凹部４６２を囲む円環形状を有している。第１凸部４６１の先端面４６０ａは平坦な面形状を有している。凹部４６２は、第１凸部４６１よりも薬液ポート４５２の流路４５２ａ側に窪んでいる。
【００３６】
シール部材４６０のストレート部４６４は、シール部材４６０の長手方向（図４（Ａ）の左右方向）に略一定の外径を有している。シール部材４６０の基端部４６５は、シール部材４６０の中心側に向けて突出している。
【００３７】
シール部材４６０の被貫通部４６３は、シール部材４６０の中心付近に形成されており、第１凸部４６１よりも大きな肉厚（図４（Ａ）の矢印Ｆ１方向）を有している。
【００３８】
第２ハウジング３００のケース３１０及び投与ポート部４００のハウジング４５０は、例えば、第１ハウジング２００の筐体２１０と同様の材料で形成することができる。
【００３９】
投与ポート部４００の送液部４４０は、例えば、ポリウレタン、ナイロン、エチレン−テトラフルオロエチレン共重合体（ＥＴＦＥ）などの樹脂材料で形成することができる。
【００４０】
シール部材４６０は、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマーで形成することができる。
【００４１】
＜ポンプ本体＞
ポンプ本体１００は、第１ハウジング２００と接続分離可能に構成している。ポンプ本体１００は、図１に示すように、ケース１１０と、ケース１１０に配置された駆動機構１２０と、を有している。
【００４２】
駆動機構１２０は、モータ１２１と、モータ１２１により回転駆動される歯車群１２３と、モータ１２１の動作制御を行う制御部（図示省略）と、を有している。制御部は、ＣＰＵ、ＲＡＭ、ＲＯＭ等を含む公知のマイクロコンピュータによって構成することができる。
【００４３】
使用者は、薬液投与装置１０による薬液の投与を開始する際、所定のコントローラ（図示省略）を操作して、ポンプ本体１００の制御部へ動作指令を送信する。使用者は、コントローラを介して動作指令を送信することにより、歯車群１２３の回転の開始及び停止、歯車群１２３の回転数等を制御することができる。
【００４４】
ポンプ本体１００は、リユース可能に構成している。第１ハウジング２００は、ディスポーザブル用の部材として構成している。そのため、使用者は、薬液投与装置１０を使用した薬液の投与を実施する都度または適切な範囲で頻回に、第１ハウジング２００を廃棄し交換することができる一方で、ポンプ本体１００は再利用することができる。なお、ポンプ本体１００と第１ハウジング２００は、一つの筐体に一体的に組み付けて構成してもよい。
【００４５】
使用者は、薬液投与装置１０による薬液の投与を開始する際、例えば、下記の手順で薬液投与装置１０の各部材を組み付ける。
【００４６】
使用者は、ポンプ本体１００と第１ハウジング２００を接続する。次に、使用者は、第２ハウジング３００のケース３１０に、ポンプ本体１００及び第１ハウジング２００を接続する。
【００４７】
使用者は、第２ハウジング３００のケース３１０に、ポンプ本体１００及び第１ハウジング２００を接続する際、シール部材４６０に貫通部材２２５を貫通させる。使用者は、シール部材４６０に貫通部材２２５を貫通させることにより、貫通部材２２５の第２流路２２５ａと薬液ポート４５２の流路４５２ａとを連通させる。投与ポート部４００のハウジング４５０に配置された送液部４４０の第１流路４４０ａは、貫通部材２２５の第２流路２２５ａを介して薬液ポート４５２の流路４５２ａと連通する。
【００４８】
図４（Ａ）及び図４（Ｂ）には、貫通部材２２５をシール部材４６０に貫通させる前後の様子を示している。図４（Ａ）及び図４（Ｂ）は、筐体２１０のキャビティ２１３周辺及び薬液ポート４５２の周辺を拡大して示す断面図（薬液ポート４５２の長手方向に沿う断面図）である。
【００４９】
使用者は、図４（Ａ）に示すように、貫通部材２２５をシール部材４６０に貫通させる際、第１ハウジング２００の筐体２１０に臨む面（対向面）２１３ａとシール部材４６０の先端面４６０ａを略平行に配置する。
【００５０】
使用者は、図４（Ｂ）に示すように、第１ハウジング２００と第２ハウジング３００とを接続させる際、第１ハウジング２００の筐体２１０をシール部材４６０に対して相対的に接近させる。
【００５１】
シール部材４６０の第１凸部４６１は、貫通部材２２５がシール部材４６０を貫通する際、筐体２１０の対向面２１３ａと接触する。使用者は、筐体２１０の対向面２１３ａにシール部材４６０の第１凸部４６１を接触させるべく、貫通部材２２５の先端部２２６をシール部材４６０の被貫通部４６３へ向けて移動させる。使用者は、第１凸部４６１により貫通部材２２５の移動をガイドすることができ、貫通部材２２５の移動が停止するまで貫通部材２２５をシール部材４６０の被貫通部４６３に対して略垂直に穿刺することができる。シール部材４６０の先端面４６０ａは、筐体２１０の対向面２１３ａに対して略平行に配置される。使用者は、貫通部材２２５がシール部材４６０を斜めに貫通して、シール部材４６０が不用意な形状に変形することを防止できる。したがって、使用者は、シール部材４６０と薬液ポート４５２の流路４５２ａとの間に薬液が漏れ出る隙間が形成されることを防止できる。
【００５２】
シール部材４６０の第１凸部４６１は、貫通部材２２５がシール部材４６０を貫通した状態において、筐体２１０と面接触した状態を維持する。このときシール部材４６０の先端面４６０ａが筐体２１０の対向面２１３ａに対して略平行であると、第１凸部４６１と筐体２１０との接触面積が大きくなり互いに密着して、接触部分は液密に封止される。そのため、シール部材４６０の第１凸部４６１は、貫通部材２２５がシール部材４６０に対して略垂直に貫通した状態において、シール部材４６０が位置ずれすることを防止できる。
【００５３】
シール部材４６０の第１凸部４６１は、図４（Ｂ）に示すように、第１ハウジング２００と第２ハウジング３００とを接続した状態において、筐体２１０とシール部材４６０との間に貫通部材２２５の周囲を囲む空間部Ａ１を形成する。第１凸部４６１と筐体２１０との接触面が密着し、空間部Ａ１内は液密に封止されるため、薬液ポート４５２の流路４５２ａから薬液が漏れ出た場合に、所定量の薬液を保持することができる。そのため、使用者は、薬液ポート４５２の流路４５２ａから薬液が漏れ出た場合においても、薬液投与装置１０の外部へ薬液が漏れ出ることを防止できる。
【００５４】
シール部材４６０の第１凸部４６１は、貫通部材２２５がシール部材４６０を貫通した状態において、筐体２１０と当接することにより、薬液が漏れ出ることを防止するシール部を形成する。また、シール部材４６０のストレート部４６４は、貫通部材２２５がシール部材４６０を貫通した状態において、筐体２１０の囲い部２１４の内壁面に当接する。シール部材４６０のストレート部４６４は、囲い部２１４の内壁面に当接することにより、シール部材４６０と囲い部２１４との間から薬液が漏れ出ることを防止するシール部を形成する。したがって、使用者は、シール部材４６０の第１凸部４６１及びシール部材４６０のストレート部４６４が形成する二つのシール部で薬液が漏れ出ることを防止できる。このとき、シール部材４６０と囲い部２１４との間の液密性をより高めるために、シール部材４６０のストレート部４６４上にフランジ状の凸部を設けてもよい。それにより、第１凸部４６１とシール部材４６０のストレート部４６４とによる第２の空間部を形成し、薬液が空間部Ａ１からさらに漏れた場合に受け止める構造としてもよい。また、筐体２１０のキャビティ２１３へ薬液ポート４５２を接近させる際にシール部材４６０の先端面４６０ａが筐体２１０の対向面２１３ａに対して略平行に配置するために、囲い部２１４の内壁面に当接するガイドとしてもよい。
【００５５】
本実施形態に係る薬液投与装置１０の作用効果を説明する。
【００５６】
本実施形態に係る薬液投与装置１０は、薬液を貯蔵可能な薬液貯蔵部２２１及び薬液貯蔵部２２１が配置される筐体２１０を備える第１ハウジング２００と、薬液を生体内へ送液するための第１流路４４０ａが形成された送液部４４０及びシール部材４６０が配置された投与ポート部４００を備え、第１ハウジング２００と接続分離可能に構成された第２ハウジング３００と、を有している。第１ハウジング２００は、第１ハウジング２００と第２ハウジング３００との接続に伴ってシール部材４６０を貫通することにより薬液貯蔵部２２１と送液部４４０の第１流路４４０ａとを連通させる貫通部材２２５を備えている。シール部材４６０は、貫通部材２２５がシール部材４６０を貫通する方向と反対側に向けて突出した第１凸部４６１を有している。
【００５７】
上記のように構成された薬液投与装置１０は、貫通部材２２５をシール部材４６０に貫通させる際、シール部材４６０に形成された第１凸部４６１により、貫通部材２２５がシール部材４６０を貫通する貫通方向を適切な方向にガイドすることができる。したがって、薬液投与装置１０は、薬液貯蔵部２２１と送液部４４０の第１流路４４０ａとを連通した状態において、第２ハウジング３００の投与ポート部４００に配置されたシール部材４６０のシール性が低下することを抑制できる。
【００５８】
また、第１凸部４６１は、第１ハウジング２００と第２ハウジング３００とを接続した状態において、筐体２１０とシール部材４６０との間に貫通部材２２５の周囲を囲む空間部Ａ１を形成する。空間部Ａ１は、薬液ポート４５２の流路４５２ａから薬液が漏れ出た場合に、所定量の薬液を液密に保持することができる。そのため、薬液ポート４５２の流路４５２ａから薬液が漏れ出た場合においても、薬液投与装置１０の外部へ薬液が流れ出ることを防止できる。
【００５９】
また、第１凸部４６１は、貫通部材２２５がシール部材４６０を貫通する際、筐体２１０に接触することにより、貫通部材２２５がシール部材４６０に対して略垂直に貫通するように貫通部材２２５の移動をガイドする。そのため、使用者は、貫通部材２２５をより確実にシール部材４６０に対して略垂直に貫通させることができる。シール部材４６０の中心付近の被貫通部４６３は、シール部材４６０の第１凸部４６１よりも大きな肉厚であることから、被貫通部４６３が複数回貫通操作される場合であってもシール部材４６０のシール性の低下を抑制できる。また、第１ハウジング２００と第２ハウジング３００とを接続した状態において、先端面４６０ａに強い力が付加された場合であっても、被貫通部４６３の肉厚形状によってシール部材４６０の形状が安定し、空間部Ａ１の液密性を維持することができる。
【００６０】
（第２実施形態）
次に、本発明の第２実施形態に係る薬液投与装置を説明する。図５（Ａ）及び図５（Ｂ）には、第２実施形態に係る薬液投与装置の部分断面図を示している。第２実施形態の説明において第１実施形態と同様の点は説明を適宜省略する。
【００６１】
図５（Ａ）及び図５（Ｂ）に示すように、第２実施形態に係る薬液投与装置は、第１ハウジング２００の筐体２１０に形成された第２凸部２１５を有している。
【００６２】
シール部材４６０には第１凸部４６１が形成されていない。シール部材４６０の先端面４６０ａは平坦な面形状を有している。シール部材４６０は、貫通部材２２５が貫通されるとともにシール部材４６０の他の部位よりも肉厚に形成された被貫通部４６３を有している。
【００６３】
筐体２１０は、第１ハウジング２００と第２ハウジング３００とを接続した状態において、シール部材４６０を収納する凹状のキャビティ２１３を有している。第２凸部２１５は、キャビティ２１３内に配置された囲い部２１４の内側に形成されている。
【００６４】
第２凸部２１５は、貫通部材２２５がシール部材４６０を貫通する方向（図５（Ａ）の矢印Ｆ２で示す方向）に向けて突出している。図５（Ｂ）に示すように、第２凸部２１５は、シール部材４６０の被貫通部４６３を押圧可能な位置に配置されている。第２凸部２１５の平面形状は、貫通部材２２５の外周を囲む円環形状を有している。
【００６５】
筐体２１０の第２凸部２１５は、貫通部材２２５がシール部材４６０を貫通する際、シール部材４６０の先端面４６０ａに当接する。使用者は、貫通部材２２５の先端部２２６をシール部材４６０の被貫通部４６３へ向けて移動させる際、第２凸部２１５によりシール部材４６０を押え、貫通部材２２５を押込む際の振動を低減させることができる。そのため、使用者は、貫通部材２２５の移動が停止するまで貫通部材２２５をシール部材４６０の被貫通部４６３に対して略垂直に穿刺することができる。使用者は、貫通部材２２５がシール部材４６０に対して略垂直に貫通した状態において、筐体２１０の対向面２１３ａとシール部材４６０の先端面４６０ａを略平行に配置することができる。
【００６６】
筐体２１０の第２凸部２１５は、貫通部材２２５がシール部材４６０を貫通した状態において、シール部材４６０の被貫通部４６３を押圧し、シール部材４６０の先端面４６０ａに食い込みつつ、シール部材４６０を押し潰す。筐体２１０の第２凸部２１５は、シール部材４６０の先端面４６０ａに食い込むことにより、シール部材４６０から位置ずれすることを防止できる。
【００６７】
筐体２１０の第２凸部２１５は、図５（Ｂ）に示すように、第１ハウジング２００と第２ハウジング３００とを接続した状態において、筐体２１０とシール部材４６０との間に貫通部材２２５の周囲を囲む空間部Ａ２を形成する。
【００６８】
本実施形態に係る薬液投与装置の作用効果を説明する。
【００６９】
第２実施形態に係る薬液投与装置の筐体２１０は、貫通部材２２５がシール部材４６０を貫通する方向に向けて突出した第２凸部２１５を有している。使用者は、貫通部材２２５をシール部材４６０に貫通させる際、筐体２１０に形成された第２凸部２１５により、シール部材４６０を押え、貫通部材２２５を押込む際の振動を低減させ、貫通部材２２５をシール部材４６０の被貫通部４６３に対して最後まで略垂直に穿刺することができる。したがって、本実施形態に係る薬液投与装置は、薬液貯蔵部２２１と送液部４４０の第１流路４４０ａとを連通した状態において、第２ハウジング３００の投与ポート部４００に配置されたシール部材４６０のシール性が低下することを抑制できる。
【００７０】
また、筐体２１０は、第１ハウジング２００と第２ハウジング３００とを接続した状態において、シール部材４６０を収容する凹状のキャビティ２１３を有している。第２凸部２１５は、キャビティ２１３にシール部材４６０が収容された状態において、シール部材４６０と当接する。そのため、使用者は、第１ハウジング２００と第２ハウジング３００を接続する作業を行う際、キャビティ２１３にシール部材４６０を収容しつつ、キャビティ２１３に配置された第２凸部２１５でシール部材４６０を押圧することができる。そのため、使用者は、シール部材４６０のシール性の低下を抑制するための作業を簡単に行うことができる。
【００７１】
シール部材４６０は、貫通部材２２５が貫通されるとともにシール部材４６０の他の部位よりも肉厚に形成された被貫通部４６３を有している。第２凸部２１５は、シール部材４６０の被貫通部４６３を押圧可能な位置に配置されている。そのため、使用者は、第１ハウジング２００と第２ハウジング３００とを接続した際、第２凸部２１５をシール部材４６０の被貫通部４６３に食い込ませて、被貫通部４６３を十分に押し潰すことができる。また、被貫通部４６３の押し潰し量が大きく、第２凸部２１５によって局所的に大きな圧力が付加された場合であっても、被貫通部４６３が肉厚に形成されることでシール部材４６０の形状を安定に保つことができる。それにより、使用者は、第２凸部２１５がシール部材４６０から位置ずれすることを効果的に防止することができる。
【００７２】
（第３実施形態）
次に、本発明の第３実施形態に係る薬液投与装置を説明する。図６（Ａ）及び図６（Ｂ）には、第３実施形態に係る薬液投与装置の部分断面図を示している。第３実施形態の説明において第１実施形態及び第２実施形態と同様の点については説明を適宜省略する。
【００７３】
図６（Ａ）及び図６（Ｂ）に示すように、第３実施形態に係る薬液投与装置は、シール部材４６０に形成された第１凸部４６１と、筐体２１０に形成された第２凸部２１５と、を有している。
【００７４】
図６（Ｂ）に示すように、第１凸部４６１は、第１ハウジング２００と第２ハウジング３００とを接続した状態において、第２凸部２１５の外周面を囲む位置に配置され、筐体２１０とシール部材４６０との間に貫通部材２２５の周囲を囲む空間部Ａ３を形成する。
【００７５】
使用者は、貫通部材２２５をシール部材４６０に貫通させる際、第１凸部４６１により、貫通部材２２５がシール部材４６０を貫通する貫通方向を適切な方向にガイドすることができる。さらに第２凸部２１５により、シール部材４６０を押え、貫通部材２２５を押込む際の振動を低減させることができる。したがって、本実施形態に係る薬液投与装置は、貫通部材２２５の移動が停止するまで、貫通部材２２５をシール部材４６０の被貫通部４６３に対して略垂直に穿刺することができる。薬液貯蔵部２２１と送液部４４０の第１流路４４０ａとを連通した状態において、第２ハウジング３００の投与ポート部４００に配置されたシール部材４６０のシール性が低下することをより確実に抑制できる。
【００７６】
また、本実施形態に係る薬液投与装置は、貫通部材２２５がシール部材４６０を貫通した状態において、第１凸部４６１が第２凸部２１５の外周面を囲むように配置されることにより、第１凸部４６１と第２凸部２１５との間を２重にシールすることができる。したがって、空間部Ａ３においては、シール部材４６０と筐体２１０との間のシール性をより一層向上させることができる。
【００７７】
また、本実施形態に係る薬液投与装置は、貫通部材２２５をシール部材４６０に貫通させる際、第２凸部２１５がシール部材４６０の凹部４６２の内壁面にガイドされながら移動するため、貫通部材２２５の移動をより適切にガイドすることができる。また、シール部材４６０の第１凸部４６１と筐体２１０の第２凸部２１５により、薬液ポート４５２の周辺のシール性をより一層向上させることができる。
【００７８】
第１凸部４６１と第２凸部２１５の位置関係は特に限定されない。例えば、第２凸部２１５は、貫通部材２２５がシール部材４６０を貫通した状態において、第１凸部４６１の外周面を囲むように配置してもよい。
【００７９】
以上、実施形態を通じて本発明に係る薬液投与装置を説明したが、本発明は明細書において説明した内容のみに限定されるものでなく、特許請求の範囲の記載に基づいて適宜変更することが可能である。
【００８０】
例えば、シール部材の形状、第１凸部の形状、第２の凸部の形状等は、図示により説明したものに限定されず、適宜変更することが可能である。
【００８１】
また、薬液投与装置は明細書内で説明した内容に限定されることはなく、各部材の材質、配置、部材同士の接続形態等は、適宜変更することが可能である。
【符号の説明】
【００８２】
１０  薬液投与装置、
１００  ポンプ本体、
１１０  ケース、
１２０  駆動機構、
２００  第１ハウジング、
２１０  筐体、
２１３  キャビティ、
２１４  囲い部、
２１５  第２凸部、
２２０  送液機構、
２２１  薬液貯蔵部、
２２５  貫通部材、
２２５ａ  貫通部材の第２流路、
２２６  貫通部材の先端部、
３００  第２ハウジング、
３１０  ケース、
４００  投与ポート部、
４４０  送液部、
４４０ａ  送液部の第１流路（流路）、
４５０  ハウジング、
４５２  薬液ポート、
４５２ａ  薬液ポートの流路、
４６０  シール部材、
４６０ａ  シール部材の先端面、
４６１  第１凸部、
４６３  被貫通部、
Ａ１、Ａ２、Ａ３  空間部。
【図１】
2020074915.tif 000003
【図２】
2020074915.tif 000004
【図３】
2020074915.tif 000005
【図４】
2020074915.tif 000006
【図５】
2020074915.tif 000007
【図６】
2020074915.tif 000008